(57)【特許請求の範囲】
【請求項１】
像保持体と、
前記像保持体の表面を帯電する第１及び第２の位置にそれぞれ配置された第１及び第２の帯電部材と、
前記第１及び第２の帯電部材を清掃する清掃部材、及び前記清掃部材を駆動する駆動部材を有する清掃機構と、
下流側に送風口を有し、外部空気を空気流入側から空気流出側に方向変換させて前記送風口に導く送風流路を形成する送風流路形成部材と、
前記送風流路形成部材の下流側に配置され、前記清掃機構及び前記第１及び第２の帯電部材を収容し、前記駆動部材を分岐部としてその下流側で前記第１及び第２の帯電部材に向かうように分岐する第１及び第２の分岐路、及び前記駆動部材の上流側に空気取入口を有する収容部材と、
前記第１の位置よりも前記第２の位置側に配置され、前記第１及び第２の帯電部材に送風された前記外部空気を外部に排気する排気流路を形成する排気流路形成部材とを備え、
前記送風流路形成部材は、前記第２の分岐路よりも前記第１の分岐路側を前記外部空気の空気流入側とし、かつ、前記送風口が前記第２の分岐路よりも前記第１の分岐路側に偏心して配置することにより、前記第１の分岐路に送風される空気量を前記第２の分岐路に送風される空気量よりも多くした画像形成装置。
【請求項２】
前記送風流路形成部材は、前記送風口の前記第２の分岐路側の端面が前記駆動部材のほぼ直上方に配置されている請求項１に記載の画像形成装置。
【請求項３】
像保持体と、
前記像保持体の表面を帯電する第１及び第２の位置にそれぞれ配置された第１及び第２の帯電部材と、
前記第１及び第２の帯電部材を清掃する清掃部材、及び前記清掃部材を駆動する駆動部材を有する清掃機構と、
下流側に送風口を有し、外部空気を空気流入側から空気流出側に方向変換させて前記送風口に導く送風流路を形成する送風流路形成部材と、
前記送風流路形成部材の下流側に配置され、前記清掃機構及び前記第１及び第２の帯電部材を収容し、前記駆動部材を分岐部としてその下流側で前記第１及び第２の帯電部材に向かうように分岐する第１及び第２の分岐路、及び前記駆動部材の上流側に空気取入口を有する収容部材と、
前記第１の位置よりも前記第２の位置側に配置され、前記第１及び第２の帯電部材に送風された前記外部空気を外部に排気する排気流路を形成する排気流路形成部材とを備え、
前記送風流路形成部材を前記第１の分岐路よりも前記第２の分岐路側を前記外部空気の空気流入側とすることにより、前記第１の分岐路に送風される空気量を前記第２の分岐路に送風される空気量よりも多くした画像形成装置。
【発明の詳細な説明】
【技術分野】
【０００１】
本発明は、画像形成装置に関する。
【背景技術】
【０００２】
従来の画像形成装置として、感光体ドラムの表面を帯電する１対の帯電ワイヤを有する帯電器と、この帯電器における１対の帯電ワイヤに空気を供給する供給ダクトと、空気を吸引する吸引ダクトとを備えたものが知られている（例えば、特許文献１参照）。
【０００３】
このような画像形成装置では、供給ダクトから１対の帯電ワイヤのうち、空気を吸引する吸引ダクトから遠い側の帯電ワイヤに空気をより多く吹き付けることにより、放電時に帯電器において発生したオゾンや窒素酸化物等の放電生成物が吸引ダクトから遠い側の帯電ワイヤ周辺で滞留するのを防止している。
【先行技術文献】
【特許文献】
【０００４】
【特許文献１】特開２００６−９１３２７号公報
【発明の概要】
【発明が解決しようとする課題】
【０００５】
本発明の目的は、本構成を有しない場合と比べて複数の帯電部材の周辺に滞留するオゾン、トナークラウド等の不要物を十分に除去することができる画像形成装置を提供することにある。
【課題を解決するための手段】
【０００６】
本発明の一態様は、上記目的を達成するために、以下の画像形成装置を提供する。
【０００７】
［１］像保持体と、
前記像保持体の表面を帯電する第１及び第２の位置にそれぞれ配置された第１及び第２の帯電部材と、
前記第１及び第２の帯電部材を清掃する清掃部材、及び前記清掃部材を駆動する駆動部材を有する清掃機構と、
下流側に送風口を有し、外部空気を空気流入側から空気流出側に方向変換させて前記送風口に導く送風流路を形成する送風流路形成部材と、
前記送風流路形成部材の下流側に配置され、前記清掃機構及び前記第１及び第２の帯電部材を収容し、前記駆動部材を分岐部としてその下流側で前記第１及び第２の帯電部材に向かうように分岐する第１及び第２の分岐路、及び前記駆動部材の上流側に空気取入口を有する収容部材と、
前記第１の位置よりも前記第２の位置側に配置され、前記第１及び第２の帯電部材に送風された前記外部空気を外部に排気する排気流路を形成する排気流路形成部材とを備え、
前記送風流路形成部材は、前記第２の分岐路よりも前記第１の分岐路側を前記外部空気の空気流入側とし、かつ、前記送風口が前記第２の分岐路よりも前記第１の分岐路側に偏心して配置することにより、前記第１の分岐路に送風される空気量を前記第２の分岐路に送風される空気量よりも多くした画像形成装置。
【０００９】
［２］前記送風流路形成部材は、前記送風口の前記第２の分岐路側の端面が前記駆動部材のほぼ直上方に配置されている前記［１］に記載の画像形成装置。
【００１０】
［３］像保持体と、前記像保持体の表面を帯電する第１及び第２の位置にそれぞれ配置された第１及び第２の帯電部材と、前記第１及び第２の帯電部材を清掃する清掃部材、及び前記清掃部材を駆動する駆動部材を有する清掃機構と、下流側に送風口を有し、外部空気を空気流入側から空気流出側に方向変換させて前記送風口に導く送風流路を形成する送風流路形成部材と、前記送風流路形成部材の下流側に配置され、前記清掃機構及び前記第１及び第２の帯電部材を収容し、前記駆動部材を分岐部としてその下流側で前記第１及び第２の帯電部材に向かうように分岐する第１及び第２の分岐路、及び前記駆動部材の上流側に空気取入口を有する収容部材と、前記第１の位置よりも前記第２の位置側に配置され、前記第１及び第２の帯電部材に送風された前記外部空気を外部に排気する排気流路を形成する排気流路形成部材とを備え、前記送風流路形成部材を前記第１の分岐路よりも前記第２の分岐路側を前記外部空気の空気流入側とすることにより、前記第１の分岐路に送風される空気量を前記第２の分岐路に送風される空気量よりも多くした画像形成装置。
【発明の効果】
【００１１】
請求項１、２に記載の発明によれば、送風流路形成部材の形状により、第１の分岐路に送風される空気量を第２の分岐路に送風される空気量よりも多くすることができ、複数の帯電部材の周辺に滞留するオゾン、トナークラウド等の不要物を十分に除去することができる。
【００１３】
請求項３に記載の発明によれば、送風流路形成部材を第１の分岐路よりも前記第２の分岐路側を外部空気の空気流入側とすることにより、第１の分岐路に送風される空気量を前記第２の分岐路に送風される空気量よりも多くすることができる。
【図面の簡単な説明】
【００１４】
【図１】図１は、本発明の第１の実施の形態に係る画像形成装置の概略の構成を示す正面図である。
【図２】図２は、本発明の第１の実施の形態に係る画像形成装置における背面部の外観を示す斜視図である。
【図３】図３は、本発明の第１の実施の形態に係る画像形成装置における吸気経路の全体を説明するために示す平面図である。
【図４】図４は、本発明の第１の実施の形態に係る画像形成装置における塵埃除去装置を示し、図４（ａ）は内部を示す斜視図、図４（ｂ）は外観を示す斜視図である。
【図５】図５は、本発明の第１の実施の形態に係る画像形成装置の塵埃除去装置を説明するために示す断面図である。
【図６】図６は、本発明の第１の実施の形態に係る画像形成装置のワイヤ清掃装置を説明するために示す断面図である。
【図７】図７は、本発明の第１の実施の形態に係る画像形成装置の送風ダクトを示し、図７（ａ）は断面図、図７（ｂ）は斜視図である。
【図８】図８は、本発明の第１の実施の形態に係る画像形成装置の廃棄用ダクトを示し、図８（ａ）は前面部を示す斜視図、図８（ｂ）は背面部を示す斜視図である。
【図９】図９は、本発明の第１の実施の形態に係る画像形成装置における廃棄用ダクトの開口位置を説明するために示す断面図である。
【図１０】図１０は、本発明の第２の実施の形態に係るワイヤ清掃装置を示す断面図である。
【図１１】図１１は、比較例のオゾン除去性能を説明するための図であり、（ａ）は、比較例の送風ダクトの概略の構成を示す断面図、（ｂ）は、帯電ワイヤ近傍のオゾン濃度の測定結果を示す図、（ｃ）は、図５に示す送風機の風量の増加による帯電ワイヤ近傍の風速の測定結果を示す図である。
【図１２】図１２は、帯電ワイヤ近傍の風速とオゾン濃度の関係を示す図である。
【図１３】図１３は、第１の実施の形態に対応する実施例１のオゾン除去性能を説明するための図であり、（ａ）は、帯電ワイヤ近傍のオゾン濃度の測定結果を示す図、（ｂ）は、図５に示す送風機の風量の増加による帯電ワイヤ近傍の風速の測定結果を示す図である。
【発明を実施するための形態】
【００１５】
［第１の実施の形態］
図１は、本発明の第１の実施の形態に係る画像形成装置の概略の構成を示す。この画像形成装置１は、本体ユニット２，給紙ユニット３，定着ユニット４及び後述するフィルタユニット５，６（共に後述する図２に示す）を備えた例えばカラープリンタに適用され、床面ＦＬ上にキャスタＣ，Ｃ，…を介して移動可能に配置されている。そして、画像形成装置１は、パーソナルコンピュータ等の上位装置から送信された画像データに画像処理部（図示せず）で画像処理を施してイエロー（Ｙ），マゼンタ（Ｍ），シアン（Ｃ），ブラック（Ｋ），Ｘ１，Ｘ２の各色の画像データに変換した後、Ｙ，Ｍ，Ｃ，Ｋ，Ｘ１，Ｘ２の各色の画像データに基づいてカラー画像を記録媒体としての用紙Ｐに形成するように構成されている。
【００１６】
Ｘ１，Ｘ２としては、Ｙ，Ｍ，Ｃ，Ｋ色以外の色であり、例えば中間色や特殊な黒色が用いられる。記録媒体としては、用紙Ｐの他にＯＨＰ（overhead projector）シート等の樹脂シートを用いてもよい。
【００１７】
（本体ユニット２の構成）
本体ユニット２は、用紙Ｐに画像を形成する画像形成部２Ａ、この画像形成部２Ａに用紙Ｐを供給する用紙供給部２Ｂ、及び用紙供給部２Ｂ，画像形成部２Ａを内部に収容する装置本体としての第１筐体２Ｃを有し、給紙ユニット３と定着ユニット４との間に介在して配置されている。
【００１８】
画像形成部２Ａは、Ｙ，Ｍ，Ｃ，Ｋ，Ｘ１，Ｘ２の各色の画像を形成する複数（本実施の形態ではＹ，Ｍ，Ｃ，Ｋ，Ｘ１，Ｘ２の各色に対応して６個）の像形成部からなり、Ｙ，Ｍ，Ｃ，Ｋ，Ｘ１，Ｘ２の各色のトナー像が形成される像保持体としての感光体ドラム２０Ｙ，２０Ｍ，２０Ｃ，２０Ｋ，２０Ｘ１，２０Ｘ２と、これら感光体ドラム２０Ｙ〜２０Ｘ２を帯電する帯電器２１Ｙ，２１Ｍ，２１Ｃ，２１Ｋ，２１Ｘ１，２１Ｘ２と、これら帯電器２１Ｙ〜２１Ｘ２によって帯電された感光体ドラム２０Ｙ〜２０Ｘ２を露光する露光部としての露光器２２Ｙ，２２Ｍ，２２Ｃ，２２Ｋ，２２Ｘ１，２２Ｘ２と、これら露光器２２Ｙ〜２２Ｘ２によって形成された感光体ドラム２０Ｙ〜２０Ｘ２上の静電潜像をＹ，Ｍ，Ｃ，Ｋ，Ｘ１，Ｘ２の各色のトナー像で現像する現像部としての現像器２３Ｙ，２３Ｍ，２３Ｃ，２３Ｋ，２３Ｘ１，２３Ｘ２とを備えている。
【００１９】
感光体ドラム２０Ｙ，２０Ｍ，２０Ｃ，２０Ｋ，２０Ｘ１，２０Ｘ２は、それぞれが表面に感光層を有し、第１筐体２Ｃ内に矢印Ｒ方向に回転可能に配置されている。
【００２０】
帯電器２１Ｙ，２１Ｍ，２１Ｃ，２１Ｋ，２１Ｘ１，２１Ｘ２は、それぞれが対応する感光体ドラム２０Ｙ，２０Ｍ，２０Ｃ，２０Ｋ，２０Ｘ１，２０Ｘ２の周囲に配置され、露光前の感光体ドラム２０Ｙ〜２０Ｘ２を帯電するように構成されている。
【００２１】
露光器２２Ｙ，２２Ｍ，２２Ｃ，２２Ｋ，２２Ｘ１，２２Ｘ２は、それぞれが対応する感光体ドラム２０Ｙ，２０Ｍ，２０Ｃ，２０Ｋ，２０Ｘ１，２０Ｘ２の上方に配置されている。そして、露光器２２Ｙ〜２２Ｘ２は、感光体ドラム２０Ｙ〜２０Ｘ２にＹ〜Ｘ２の各色の画像データに基づいて変調された露光光を照射してＹ〜Ｘ２の各色の静電潜像を形成するように構成されている。
【００２２】
現像器２３Ｙ，２３Ｍ，２３Ｃ，２３Ｋ，２３Ｘ１，２３Ｘ２は、それぞれが対応する感光体ドラム２０Ｙ，２０Ｍ，２０Ｃ，２０Ｋ，２０Ｘ１，２０Ｘ２の周囲に配置されている。
【００２３】
また、画像形成部２Ａは、感光体ドラム２０Ｙ，２０Ｍ，２０Ｃ，２０Ｋ，２０Ｘ１，２０Ｘ２の表面に接触する中間転写ベルト２４と、感光体ドラム２０Ｙ，２０Ｍ，２０Ｃ，２０Ｋ，２０Ｘ１，２０Ｘ２の表面にそれぞれ形成されたＹ，Ｍ，Ｃ，Ｋ，Ｘ１，Ｘ２の各色のトナー像を中間転写ベルト２４に一次転写する一次転写装置２５Ｙ，２５Ｍ，２５Ｃ，２５Ｋ，２５Ｘ１，２５Ｘ２と、中間転写ベルト２４を駆動する駆動ロール２６と、中間転写ベルト２４を所定の張力で回転可能に支持する支持ロール２７Ａ〜２７Ｄと、中間転写ベルト２４に転写されたトナー像を用紙Ｐに二次転写する二次転写装置２８とを備えている。なお、中間転写ベルト２４、一次転写装置２５Ｙ，２５Ｍ，２５Ｃ，２５Ｋ，２５Ｘ１，２５Ｘ２、及び二次転写装置２８等は、感光体ドラム２０Ｙ，２０Ｍ，２０Ｃ，２０Ｋ，２０Ｘ１，２０Ｘ２の表面に形成されたトナー像を用紙Ｐに転写する転写部を構成する。
【００２４】
画像形成部２Ａの上方には、Ｙ，Ｍ，Ｃ，Ｋ，Ｘ１，Ｘ２の各色のトナーを収容するトナー供給部としてのトナーボトル２９Ｙ，２９Ｍ，２９Ｃ，２９Ｋ，２９Ｘ１，２９Ｘ２が配置されている。これにより、トナーボトル２９Ｙ〜２９Ｘ２から現像器２３Ｙ〜２３Ｘ２にＹ〜Ｘ２の各色のトナーが供給される。
【００２５】
中間転写ベルト２４は、無端ベルトからなり、一次転写装置２５Ｙ，２５Ｍ，２５Ｃ，２５Ｋ，２５Ｘ１，２５Ｘ２と感光体ドラム２０Ｙ，２０Ｍ，２０Ｃ，２０Ｋ，２０Ｘ１，２０Ｘ２との間に介在して配置され、かつ駆動ロール２６及び支持ロール２７Ａ〜２７Ｄに掛け渡されている。そして、中間転写ベルト２４は、駆動ロール２６によって矢印ａ方向に循環移動するように構成されている。中間転写ベルト２４のドラム接触側には、感光体ドラム２０Ｙ，２０Ｍ，２０Ｃ，２０Ｋ，２０Ｘ１，２０Ｘ２を除電する除電装置３０Ｙ,３０Ｍ，３０Ｃ，３０Ｋ，３０Ｘ１，３０Ｘ２、及び一次転写後の感光体ドラム２０Ｙ，２０Ｍ，２０Ｃ，２０Ｋ，２０Ｘ１，２０Ｘ２に残留する残留トナーを除去する像保持体清掃部としてのドラム清掃装置３１Ｙ，３１Ｍ，３１Ｃ，３１Ｋ，３１Ｘ１，３１Ｘ２が配置されている。このドラム清掃装置３１Ｙ〜３１Ｘ２で除去された残留トナーは、トナー回収経路（図示せず）を介して第１筐体２Ｃ外に回収される。
【００２６】
一次転写装置２５Ｙ，２５Ｍ，２５Ｃ，２５Ｋ，２５Ｘ１，２５Ｘ２は、それぞれが対応する感光体ドラム２０Ｙ，２０Ｍ，２０Ｃ，２０Ｋ，２０Ｘ１，２０Ｘ２の表面に中間転写ベルト２４を圧接する一次転写ロールからなり、中間転写ベルト２４の内側に回転可能に配置されている。そして、一次転写装置２５Ｙ〜２５Ｘ２は、感光体ドラム２０Ｙ〜２０Ｘ２のトナー像を中間転写ベルト２４に一次転写するように構成されている。
【００２７】
駆動ロール２６は、中間転写ベルト２４の内側に回転可能に配置されている。そして、駆動ロール２６は、矢印Ｑ方向への回転によって中間転写ベルト２４を矢印ａ方向に循環移動させるように構成されている。
【００２８】
支持ロール２７Ａ〜２７Ｄは、従動ロールからなり、駆動ロール２６と同様に中間転写ベルト２４の内側に回転可能に配置されている。支持ロール２７Ａ〜２７Ｄのうち支持ロール２７Ａ，２７Ｂは一次転写面形成ロールとして、支持ロール２７Ｃはテンションロールとして、また支持ロール２７Ｄは二次転写装置２８のバックアップロールとしてそれぞれ機能する。
【００２９】
二次転写装置２８は、転写ベルト装置からなり、中間転写ベルト２４の外側に配置されている。そして、二次転写装置２８は、中間転写ベルト２４上のトナー像を用紙Ｐに二次転写するように構成されている。二次転写装置２８の用紙搬送側には、用紙Ｐの搬送方向に沿って並列する搬送ユニット３２〜３４が配置されている。搬送ユニット３２〜３４のうち搬送ユニット３２，３３は本体ユニット２内における用紙Ｐを矢印ｂ方向に搬送する搬送ベルトコンベアとして、また搬送ユニット３４は本体ユニット２と定着ユニット４との間に跨って用紙Ｐを矢印ｂ方向に搬送する搬送ベルトコンベアとしてそれぞれ機能する。
【００３０】
用紙供給部２Ｂは、用紙Ｐを内部に収容する用紙スタッカ３５，３５と、これら用紙スタッカ３５，３５に収容された用紙Ｐを１枚ずつ捌く１対の捌きロール３６，３６とを有し、画像形成部２Ａの下方に配置されている。用紙供給部２Ｂの下流側には、画像形成のタイミングに同期して駆動される１対のレジロール３７，３７、及びこれら１対のレジロール３７，３７から二次転写装置２８に向かって用紙Ｐを矢印ｃ方向に搬送する搬送ロール３８，３８，…が配置されている。第１筐体２Ｃの詳細については後述する。
【００３１】
（給紙ユニット３の構成）
給紙ユニット３は、本体ユニット２の画像形成部２Ａに用紙Ｐを供給する用紙供給部３Ａ、及びこの用紙供給部３Ａを内部に収容する第２筐体３Ｂを有し、本体ユニット２の一方側（図１の左側）に配置されている。
【００３２】
用紙供給部３Ａは、用紙Ｐを内部に積載する給紙トレイ３９，３９、及びこれら給紙トレイ３９，３９から送出された用紙Ｐを１枚ずつ捌く１対の捌きロール４０，４０とを有している。用紙供給部３Ａの下流側には、画像形成のタイミングに同期して駆動される１対のレジロール４１，４１が配置されている。
【００３３】
第２筐体３Ｂは、用紙供給部３Ａから本体ユニット２に向かう搬送経路３０Ｂを内部に有し、床面ＦＬ上にキャスタＣ，Ｃ，…を介して移動可能に配置されている。
【００３４】
（定着ユニット４の構成）
定着ユニット４は、用紙Ｐに転写されたトナー像を加熱溶融して定着する定着部４Ａ、この定着部４Ａで定着された用紙Ｐを冷却する冷却部４Ｂ、及びこの冷却部４Ｂ，定着部４Ａを内部に収容する第３筐体４Ｃを有し、本体ユニット２の他方側（図１の右側）に配置されている。
【００３５】
定着部４Ａは、加熱ロール４２及び加圧ロール４３を有し、搬送ユニット３４と冷却部４Ｂとの間に配置されている。
【００３６】
冷却部４Ｂは、用紙を矢印ｄ方向に搬送する搬送ユニット４４，４５、及びこれら搬送ユニット４４，４５によって搬送される用紙Ｐを冷却する冷却器４６を有し、定着部４Ａの下流側に配置されている。冷却部４Ｂの下流側には、定着ユニット４内の用紙Ｐを定着ユニット４外に排出する排出ロール４７，４７が配置されている。
【００３７】
第３筐体４Ｃは、搬送ユニット３４から定着部４Ａ及び冷却部４Ｂを介して排出ロール４７，４７に至る搬送経路４０Ｃを内部に有し、床面ＦＬにキャスタＣ，Ｃ，…を介して移動可能に配置されている。
【００３８】
図２は、画像形成装置１の背面部を示す。
【００３９】
第１筐体２Ｃには、外部空気を内部に吸い込む吸込口５２、及びこの吸込口５２から吸い込まれた外部空気を画像形成部２Ａにおける各像形成部の冷却後に外部に吐き出す吐出口５３と、内部の発熱を放出する吐出口５０Ｙ，５０Ｍ，５０Ｃ，５０Ｋ，５０Ｘ１，５０Ｘ２が設けられている。吸込口５２は第１筐体２Ｃにおける一方側（給紙ユニット３側）の側面に、また吐出口５３は第１筐体２Ｃにおける他方側（定着ユニット４側）の上面にそれぞれ開口されている。
【００４０】
フィルタユニット５は、フィルタ収容箱４８を有し、本体ユニット２の背面側に配置されている。
【００４１】
フィルタ収容箱４８は、外部空気を内部に吸い込む吸込口４８ａ，４９Ｙ〜４９Ｋ、及び内部空気を外部に吐き出す吐出口４８ｂを有し、床面ＦＬ上にキャスタＣ，Ｃ，…を介して移動可能に配置されている。吸込口４８ａ，４９Ｙ〜４９Ｋはフィルタ収容箱４８の背面側に、また吐出口４８ｂはフィルタ収容箱４８の天井面側にそれぞれ開口されている。
【００４２】
フィルタ収容箱４８には、画像形成部２Ａ（図１に示す）の駆動によって発生する廃棄対象物としてのトナークラウドを捕捉するクラウドフィルタ、及び画像形成部２Ａの駆動によって発生する廃棄対象物としてのオゾン（Ｏ３）を捕捉して分解するオゾンフィルタ（共に図示せず）が内蔵されている。また、フィルタ収容箱４８には、クラウドフィルタ及びオゾンフィルタの通過後における内部空気を外部に排出する排出口（図示せず）が設けられている。排出口は、フィルタ収容箱４８の底面側に開口されている。
【００４３】
一方、フィルタユニット６は、フィルタ収容箱５０を有し、フィルタユニット５の側方に並列して本体ユニット２の背面側に配置されている。
【００４４】
フィルタ収容箱５０は、外部空気を内部に吸い込む吸込口５０ａ，５１Ｘ１，５１Ｘ２、及び内部空気を外部に吐き出す吐出口５０ｂを有し、床面ＦＬ上にキャスタＣ，Ｃ，…を介して移動可能に配置されている。吸込口５０ａ，５１Ｘ１，５１Ｘ２はフィルタ収容箱５０の背面側に、また吐出口５０ｂはフィルタ収容箱５０の天井面側にそれぞれ開口されている。
【００４５】
フィルタ収容箱５０には、画像形成部２Ａ（図１に示す）の駆動によって発生する廃棄対象物としてのトナークラウドを捕捉するクラウドフィルタ、及び画像形成部２Ａの駆動によって発生する廃棄対象物としてのオゾン（Ｏ３）を捕捉して分解するオゾンフィルタ（共に図示せず）が内蔵されている。また、フィルタ収容箱５０には、クラウドフィルタ及びオゾンフィルタの通過後における内部空気を外部に排出する排出口（図示せず）が設けられている。排出口は、フィルタ収容箱５０の底面側に開口されている。
【００４６】
図３は、第１筐体及びフィルタ収容箱の内部を示す。第１筐体２Ｃは、内部に収容空間２００Ｃを有し、画像形成部２Ａ及び用紙供給部２Ｂ（共に図１に示す）等を収容空間２００Ｃに収容している。
【００４７】
第１筐体２Ｃの収容空間２００Ｃには、画像形成部２Ａ（図１に示す）に向かって外部空気と共に送り込まれる塵埃を除去する塵埃除去部としての塵埃除去装置５４Ｙ，５４Ｍ，５４Ｃ，５４Ｋ，５４Ｘ１，５４Ｘ２、及び帯電ワイヤ７１を清掃するとともに帯電ワイヤ７１の周辺に滞留するオゾン、トナークラウド等の不要物を除去するワイヤ清掃装置５５Ｙ，５５Ｍ，５５Ｃ，５５Ｋ，５５Ｘ１，５５Ｘ２が収容されている。
【００４８】
塵埃除去装置５４Ｙ〜５４Ｘ２は、吸込口４９Ｙ〜４９Ｋ，５１Ｘ１，５１Ｘ２に吸気用ダクト５６Ｙ〜５６Ｘ２，５７Ｙ〜５７Ｘ２を介して、またワイヤ清掃装置５５Ｙ〜５５Ｘ２は、塵埃除去装置５４Ｙ〜５４Ｘ２にそれぞれ接続されている。
【００４９】
（塵埃除去装置）
次に、塵埃除去装置５４Ｙ〜５４Ｘ２につき、図３，図４（ａ），（ｂ）及び図５を用いて説明する。図４（ａ）及び（ｂ）は収容ケースの内部と外観を示す。図５は、塵埃除去装置の内部を示す。なお、図４（ａ）は、吸気用ダクト５７Ｋ及び収納ケース５８Ｋの上側の部分を取り除いた状態を図示している。
【００５０】
図３に示すように、塵埃除去装置５４Ｙ〜５４Ｘ２は、中間ダクトとして機能する収容ケース５８Ｙ〜５８Ｘ２、塵埃を捕捉するフィルタ５９Ｙ〜５９Ｘ２、及び送風対象部としての帯電器２１Ｙ〜２１Ｘ２（図１に示す）に送風する送風機６０Ｙ〜６０Ｘ２を備え、第１筐体２Ｃ内に配置されている。
【００５１】
図４（ａ）及び（ｂ）に示すように、収容ケース５８Ｙ〜５８Ｘ２（収容ケース５８Ｋのみ示す）は、それぞれが空気吸込側で開口する第１開口部６１、及び空気吐出側で開口する第２開口部６２を有し、吸気用ダクト５７Ｙ〜５７Ｘ２（吸気用ダクト５７Ｋのみ図示）と送風ダクト７０Ｙ〜７０Ｘ２（送風ダクト７０Ｋのみ図示）との間に介在して配置されている。第１開口部６１は吸気用ダクト５７Ｙ〜５７Ｘ２側に、また第２開口部６２は送風ダクト７０Ｙ〜７０Ｘ２側にそれぞれ開口されている。
【００５２】
フィルタ５９Ｙ〜５９Ｘ２（フィルタ５９Ｋのみ図示）は、それぞれがフィルタ全面で第１開口部６１の開口面全体を閉塞させて収容ケース５８Ｙ〜５９Ｘ２に設置されている。そして、フィルタ５９Ｙ〜５９Ｘ２は、第１開口部６１から収容ケース５８Ｙ〜５８Ｘ２側に外部空気と共に吸い込まれる塵埃を捕捉するように構成されている。
【００５３】
送風機６０Ｙ〜６０Ｘ２（送風機６０Ｋのみ図示）は、それぞれが駆動モータ（図示せず）によって回転する羽根車６３（図５に示す）、及びこの羽根車６３を内部に収容するケーシング６４Ｙ，６４Ｍ，６４Ｃ，６４Ｋ，６４Ｘ１，６４Ｘ２（ケーシング６４Ｋのみ図示）を有するシロッコファンからなり、収容ケース５８Ｙ〜５８Ｘ２内に配置されている。そして、送風機６０Ｙ〜６０Ｘ２は、清掃対象部としての帯電器２１Ｙ〜２１Ｘ２（図１に示す）に送風ダクト７０Ｙ〜７０Ｘ２（送風ダクト７０Ｋのみ図示）等を介して外部空気を送風するように構成されている。
【００５４】
ケーシング６４Ｙ〜６４Ｘ２（ケーシング６４Ｋのみ図示）は、それぞれがフィルタ５９Ｙ〜５９Ｘ２を通過した外部空気を取り入れる空気取入口６５、及び羽根車６３の回転によって発生する空気流を送風ダクト７０Ｙ〜７０Ｘ２側に取り出す空気取出口６６を有し、一部を第２開口部６２に挿通させて送風ダクト７０Ｙ〜７０Ｘ２に接続されている。
【００５５】
空気取入口６５は、フィルタ５９Ｙ〜５９Ｘ２（フィルタ５９Ｋのみ図示）の設置側と反対側に開口されている。これにより、フィルタ５９Ｙ〜５９Ｘ２の全面をフィルタ有効面積として利用することができ、空気取入口６５を設置側とした場合と比べてフィルタ５９Ｙ〜５９Ｘ２における目詰まりの発生を抑制することができる。
【００５６】
また、ケーシング６４Ｙ〜６４Ｘ２（ケーシング６４Ｋのみ図示）は、図５に示すように、フィルタ５９Ｙ〜５９Ｘ２（フィルタ５９Ｋのみ図示）との間の寸法をＳｆとし、空気取入口６５の開口面に対向する収容ケース５８Ｙ〜５８Ｘ２（収容ケース５８Ｋのみ図示）の内面６７との間の寸法をＳｒとすると、Ｓｆ及びＳｒがＳｆ＜Ｓｒ、好ましくはＳｒ／Ｓｆ＞１．１、より好ましくはＳｒ／Ｓｆ＞１．５を満足する寸法に設定されている。これにより、Ｓｆ及びＳｒがＳｆ≧Ｓｒに設定されている場合と比べ、フィルタ５９Ｙ〜５９Ｘ２とケーシング６４Ｙ〜６４Ｘ２との間に形成される空間部Ｇ１からケーシング６４Ｙ〜６４Ｘ２と内面６７との間に形成される空間Ｇ２への外部空気の流動が円滑に行われる。
【００５７】
（ワイヤ清掃装置）
次に、ワイヤ清掃装置５５Ｙ〜５５Ｘ２につき、図６〜図９を用いて説明する。図６は、ワイヤ清掃装置を示す。図７（ａ）及び（ｂ）は送風ダクトを示す。図８（ａ）及び（ｂ）は廃棄用ダクトを示す。図９は廃棄用ダクトの開口位置を示す。
【００５８】
ワイヤ清掃装置５５Ｙ〜５５Ｘ２は、一対の帯電部材としての帯電ワイヤにワイヤ清掃部材を接触させて、ワイヤ清掃部材を帯電ワイヤに沿って軸方向に移動させることで、帯電ワイヤに付着した埃、トナー粉や、オゾン等の帯電生成物等を除去するものである。
【００５９】
図６に示すように、ワイヤ清掃装置５５Ｙ〜５５Ｘ２（ワイヤ清掃装置５５Ｋのみ図示）は、ワイヤ清掃機構６８Ｙ，６８Ｍ，６８Ｃ，６８Ｋ，６８Ｘ１，６８Ｘ２（ワイヤ清掃機構６８Ｋのみ図示），収容部材としての収容ケース６９Ｙ，６９Ｍ，６９Ｃ，６９Ｋ，６９Ｘ１，６９Ｘ２（収容ケース６９Ｋのみ図示）及び送風流路形成部材としての送風ダクト７０Ｙ，７０Ｍ，７０Ｃ，７０Ｋ，７０Ｘ１，７０Ｘ２（送風ダクト７０Ｋのみ図示）を有し、感光体ドラム２０Ｙ，２０Ｍ，２０Ｃ，２０Ｋ，２０Ｘ１，２０Ｘ２（感光体ドラム２０Ｋのみ図示）の周囲に配置されている。
【００６０】
ワイヤ清掃機構６８Ｙ〜６８Ｘ２（ワイヤ清掃機構６８Ｋのみ図示）は、感光体ドラム２０Ｙ〜２０Ｘ２（感光体ドラム２０Ｋのみ図示）の表面を帯電する第１及び第２の位置にそれぞれ配置された第１及び第２の帯電ワイヤ７１Ａ，７１Ｂを清掃する上下１対のワイヤ清掃部材７２，７２，７３，７３、及びこれら上下１対のワイヤ清掃部材７２，７２，７３，７３を駆動する駆動部材としてのリードスクリュー７４を有し、収容ケース６９Ｙ〜６９Ｘ２（収容ケース６９Ｋのみ図示）内に第１及び第２の帯電ワイヤ７１Ａ，７１Ｂと共に収容されている。
【００６１】
上側のワイヤ清掃部材７２，７２は、収容ケース６９Ｙ〜６９Ｘ２（収容ケース６９Ｋのみ図示）内の移動部材７５に揺動部材７６を介して揺動可能に配置されている。そして、上側のワイヤ清掃部材７２，７２は、移動部材７５がホームポジションから移動してワイヤ清掃時に揺動部材７６の揺動によって第１及び第２の帯電ワイヤ７１Ａ，７１Ｂに接触し、移動部材７５がホームポジション（ワイヤ非清掃時）に位置するときに揺動部材７６の揺動復帰によって第１及び第２の帯電ワイヤ７１Ａ，７１Ｂから離れるように構成されている。
【００６２】
下側のワイヤ清掃部材７３，７３は、上側のワイヤ清掃部材７２，７２の下方で移動部材７５に支持部材７７を介して配置されている。
【００６３】
リードスクリュー７４は、第１及び第２の帯電ワイヤ７１Ａ，７１Ｂの長手方向に平行に配置された雄ネジであり、収容ケース６９Ｙ〜６９Ｘ２（収容ケース６９Ｋのみ図示）内に回転可能にそれぞれ配置されている。そして、リードスクリュー７４は、駆動モータ（図示せず）によって回転し、雌ネジによってリードスクリュー７４に取り付けられた移動部材７５を第１及び第２の帯電ワイヤ７１Ａ，７１Ｂに沿って往復させて上側のワイヤ清掃部材７２，７２及び下側のワイヤ清掃部材７３，７３を駆動するように構成されている。
【００６４】
収容ケース６９Ｙ〜６９Ｘ２（収容ケース６９Ｋのみ図示）は、それぞれがリードスクリュー７４を分岐部としてその下流側で分岐する第１及び第２の分岐路７８，７９、リードスクリュー７４の上流側に開口する空気取入口８０、及び空気取入口８０に分岐路７８，７９を介して流通する空気取出口８１を有し、感光体ドラム２０Ｙ〜２０Ｘ２（感光体ドラム２０Ｋのみ図示）の近傍に配置されている。
【００６５】
送風ダクト７０Ｙ〜７０Ｘ２（送風ダクト７０Ｋのみ図示）は、送風機６０Ｙ〜６０Ｘ２から空気が流入する空気取入口７０ａと、第１及び第２の分岐路７８，７９を介して第１及び第２の帯電ワイヤ７１Ａ，７１Ｂに外部空気を送風するための送風口８２と、外部空気による空気流を空気流入側から空気流出側に方向変換させて送風口８２に流通する流通路としての曲路８３とを有し、収容ケース６９Ｙ〜６９Ｘ２（収容ケース６９Ｋのみ図示）の上流側に配置されている。
【００６６】
送風口８２は、その開口面８２ａが第１及び第２の分岐路７８，７９のうち曲路８３の空気流入側に近い第１の分岐路７８側に偏心して配置されている。すなわち、収容ケース６９Ｙ〜６９Ｘ２の一対の開口面７８ａ，７８ａのうち曲路８３の空気流入側の開口面７８ａが送風ダクト７０Ｙ〜７０Ｘ２の開口面８２ａに対向して配置されている。また、送風口８２は、その開口端面の一部を形成する外側端面８２ｂがリードスクリュー７４のほぼ直上方に配置されている。これにより、送風口８２から下流側に送風される外部空気がリードスクリュー７４で第１の帯電ワイヤ７１Ａ側の方が第２の帯電ワイヤ７１Ｂ側よりも大きな風速となるように分岐されて第１及び第２の分岐路７８，７９の軸線方向に沿って速度むらの少ない状態で流入した後、これら分岐路７８，７９を介して帯電ワイヤ７１Ａ，７１Ｂに送風され、帯電ワイヤ７１Ａ，７１Ｂの周辺に滞留する不要物が導入ダクト９５，９６を介して外部に排出される。なお、収容ケース６９Ｙ〜６９Ｘ２の一対の開口面７８ａ，７８ａのうち曲路８３の空気流入側の開口面７８ａ及び他方の開口面７８ａの一部が送風ダクト７０Ｙ〜７０Ｘ２の開口面８２ａに対向して配置されていてもよい。
【００６７】
曲路８３は、各軸線が互いに直交する流路８３ａ，８３ｂ、及びこれら両流路８３ａ，８３ｂ間に介在する流路８３ｃを有し、送風ダクト７０Ｙ〜７０Ｘ２の空気流出側に配置されている。流路８３ａは直路８４（図７（ａ）に示す）に、また流路８３ｂは送風口８２を介して外部にそれぞれ開口されている。流路８３ｃは、内外２つの路面８３０ｃ，８３１ｃが互いに異なる曲率をもった曲面で形成されている。
【００６８】
また、図７（ａ）に示すように、送風ダクト７０Ｙ〜７０Ｘ２（送風ダクト７０Ｋのみ図示）は、それぞれが曲路８３の流路８３ａに流通する直路８４を有し、送風機６０Ｙ〜６０Ｘ２（図３に示す）におけるケーシング６４Ｙ〜６４Ｘ２（図３に示す）の空気取口６６（図５に示す）に接続されている。送風ダクト７０Ｙ〜７０Ｘ２には、図７（ｂ）に示すように、曲路８３から直路８４と反対側に突出する補強部８５が一体に設けられている。
【００６９】
直路８４は、送風ダクト７０Ｙ〜７０Ｘ２（送風ダクト７０Ｋのみ図示）の空気流入側に配置され、かつ送風機６０Ｙ〜６０Ｘ２（図３に示す）におけるケーシング６４Ｙ〜６４Ｘ２（図３に示す）の空気取出口６６に接続されている。直路８４には、送風口８２に外部空気を誘導する複数の誘導部材８６，８７，８８が左右１対の第１及び第２の帯電ワイヤ７１Ａ，７１Ｂ（図６に示す）の軸線方向に並列して配置されている。この場合、複数の誘導部材８６，８７，８８は、直路８４から曲路８３への外部空気による空気流が第１及び第２の帯電ワイヤ７１Ａ，７１Ｂの軸線方向に沿って風速むらのない気流になるように形成されていることが好ましい。本実施の形態では、直路８４には、両端部にそれぞれ配置された誘導部材８６Ａ，８６Ｂと、誘導部材８６Ａ，８６Ｂの内側に配置され、帯電ワイヤ７１Ａ，７１Ｂの軸線方向に沿う直線部８７ａと直線部８７ａから曲路８３に向かって湾曲した形状を有する湾曲部８７ｂとからなる誘導部材（第１の誘導部材）８７Ａ〜８７Ｅと、誘導部材８７Ａ〜８７Ｅ間に配置され、湾曲した形状の誘導部材（第２の誘導部材）８８Ａ〜８８Ｅとが設けられている。
【００７０】
上記の誘導部材８６，８７，８８の構成により、誘導部材８７Ａ〜８７Ｅのうち入口側の誘導部材８７Ａ，８７Ｂにより外部空気による空気流が３つに分岐され、一方の端側の分岐流が誘導部材８８Ａによって曲路８３に誘導され、中央の分岐流が誘導部材８７Ｃ，８８Ｂ，８８Ｃによって曲路８３に誘導され、他方の端側の分岐流が誘導部材８７Ｄ，８７Ｅ，８８Ｄ，８８Ｅによって曲路８３に誘導される。このため、直路８４から曲路８３に帯電ワイヤ７１Ａ，７１Ｂの軸線方向に沿って速度むらの少ない状態で外部空気を送風することができる。
【００７１】
ワイヤ清掃装置５５Ｙ〜５５Ｘ２（図６にワイヤ清掃装置５５Ｋのみ示す）の近傍には、図８に示す排出部材としての廃棄用ダクト９０Ｙ，９０Ｍ，９０Ｃ，９０Ｋ，９０Ｘ１，９０Ｘ２（図８（ａ）及び（ｂ）に廃棄用ダクト９０Ｋのみ示す）が配置されている。
【００７２】
廃棄用ダクト９０Ｙ〜９０Ｘ２は、図８（ａ）及び（ｂ）に示すような第１乃至第４の開口部９１〜９４を有し、第１乃至第３の開口部９１〜９３は、それぞれ第４の開口部９４に流通している。第４の開口部９４は、フィルタ収容箱５，６（図２に示す）内の蛇腹パイプ付きの廃棄用配管（図示せず）に接続されている。廃棄用配管の内部には、内部空気を外部に流動させる送風機が設けられている。そして、画像形成部２Ａ（図６に示す）で発生するトナークラウド及びオゾン等の廃棄対象物は、送風機によって内部空気が廃棄用ダクト９０Ｙ〜９０Ｘ２、蛇腹パイプ付きの廃棄用配管を介して外部に排出される際、クラウドフィルタ、オゾンフィルタで捕捉される。
【００７３】
図９に示すように、第１の開口部９１は、クラウド導入用ダクト９５及び排気(廃棄)流路形成部材としてのオゾン導入用ダクト９６を介して感光体ドラム２０Ｙ，２０Ｍ，２０Ｃ，２０Ｋ，２０Ｘ１，２０Ｘ２（感光体ドラム２０Ｋのみ図示）側に、第２の開口部９２は現像器２３Ｙ, ２３Ｍ，２３Ｃ，２３Ｋ，２３Ｘ１，２３Ｘ２（現像器２３Ｋのみ図示）側に、また第３の開口部９３は、ドラム清掃装置３１Ｙ,３１Ｍ，３１Ｃ，３１Ｋ，３１Ｘ１，３１Ｘ２（ドラム清掃装置３１Ｋのみ図示）側にそれぞれ開口されている。オゾン導入(廃棄)用ダクト９６は、第１の帯電ワイヤ７１Ａが配置された第１の位置よりも第２の帯電ワイヤ７１Ｂが配置された第２の位置側に配置されている。第１乃至第３の開口部９１〜９３に対する送風量は、例えば７：５：１程度の配分比となる流量に設定されている。すなわち、第３の開口部９３への送風量を「１」とすると、第１の開口部９１への送風量が「７」とされ、第２の開口部９２への送風量が「５」とされる。
【００７４】
（画像形成装置１の動作）
次に、本実施の第１の形態に示す画像形成装置１の動作につき、図１〜図３，図５及び図６を参照して説明する。
【００７５】
図１に示すように、本体ユニット２の用紙供給部２Ｂから用紙Ｐを供給する場合には、用紙スタッカ３５，３５内に積載された用紙Ｐをピックアップロール（図示せず）によって１枚ずつ分離し、捌きロール３６，３６から停止中のレジロール３７，３７に送出する。
【００７６】
次に、レジロール３７，３７に用紙Ｐの先端を突き当て、用紙斜め送りの修正と用紙先端の位置合わせをして用紙Ｐを待機させる。
【００７７】
ここで、給紙ユニット３の用紙供給部３Ａから用紙Ｐを供給する場合には、給紙トレイ３９，３９内に積載された用紙Ｐをピックアップロール（図示せず）によって１枚ずつ分離し、捌きロール４０，４０から停止中のレジロール４１，４１に送出する。
【００７８】
次に、レジロール４１，４１に用紙Ｐの先端を突き当て、用紙斜め送りの修正と用紙先端の位置合わせをして用紙Ｐを待機させる。
【００７９】
そして、画像形成部２Ａにおける画像形成のタイミングに同期してレジロール３７，３７又はレジロール４１，４１を回転させて二次転写装置２８に用紙Ｐを給紙し、感光体ドラム２０Ｙ，２０Ｍ，２０Ｃ，２０Ｋ，２０Ｘ１，２０Ｘ２に形成されたトナー像を一次転写装置２５Ｙ，２５Ｍ，２５Ｃ，２５Ｋ，２５Ｘ１，２５Ｘ２で中間転写ベルト２４に一次転写した後、二次転写装置２８における支持ロール２７Ｄの位置に給紙された用紙Ｐにトナー像を二次転写する。
【００８０】
この後、画像形成装置１では、定着ユニット４の定着部４Ａで用紙Ｐにトナー像を定着してから、冷却部４Ｂで用紙Ｐを冷却して排出ロール４７，４７で定着ユニット４外に排出する。
【００８１】
この際、図２に示すように、フィルタ収容箱４８，５０外の外部空気が吸込口４９Ｙ，４９Ｍ，４９Ｃ，４９Ｋ，５１Ｘ１，５１Ｘ２からフィルタ収容箱４８，５０内の吸気用ダクト５６Ｙ，５６Ｍ，５６Ｃ，５６Ｋ，５６Ｘ１，５６Ｘ２（図３に示す）に吸い込まれる。
【００８２】
吸気用ダクト５６Ｙ〜５６Ｘ２内に吸い込まれた外部空気は、図３に示すように、吸気用ダクト５７Ｙ，５７Ｍ，５７Ｃ，５７Ｋ，５７Ｘ１，５７Ｘ２内に流入した後、フィルタ５９Ｙ，５９Ｍ，５９Ｃ，５９Ｋ，５９Ｘ１，５９Ｘ２（図５にフィルタ５９Ｋのみ示す）を通過して収容ケース５８Ｙ，５８Ｍ，５８Ｃ，５８Ｋ，５８Ｘ１，５８Ｘ２内に流入する。
【００８３】
この場合、吸気用ダクト５６Ｙ〜５６Ｘ２内に外部空気と共に塵埃が吸い込まれていると、その塵埃がフィルタ５９Ｙ〜５９Ｘ２（フィルタ５９Ｋのみ図示）でその全面をフィルタ有効面積として捕捉される。
【００８４】
そして、収容ケース５８Ｙ〜５８Ｘ２内に流入した外部空気は、図５に示すように、送風機６０Ｙ，６０Ｍ，６０Ｃ，６０Ｋ，６０Ｘ１，６０Ｘ２（送風機６０Ｋのみ図示）の駆動によって外部空気が空間Ｇ１から空間Ｇ２に導かれ、空気取入口６５からケーシング６４Ｙ，６４Ｍ，６４Ｃ，６４Ｋ，６４Ｘ１，６４Ｘ２（ケーシング６４Ｋのみ図示）内に取り入れられる。
【００８５】
ケーシング６４Ｙ〜６４Ｘ２内に取り入れられた外部空気は、羽根車６３の回転による遠心力の作用によって空気取出口６６からケーシング６４Ｙ〜６４Ｘ２外に流出し、空気取入口７０ａから送風ダクト７０Ｙ，７０Ｍ，７０Ｃ，７０Ｋ，７０Ｘ１，７０Ｘ２（送風ダクト７０Ｋのみ図示）内に流入する。
【００８６】
送風ダクト７０Ｙ〜７０Ｘ２内に流入した外部空気は、図６に示すように、誘導部材８６Ａ，８６Ｂ，８７Ａ〜８７Ｅ，８８Ａ〜８８Ｅ（図７（ａ）に示す）によって直路８４（図７（ａ）に示す）を空気流入側から空気流出側に誘導され、さらに曲路８３を流動して送風口８２から送風ダクト７０Ｙ〜７０Ｘ２外に流出した後、収容ケース６９Ｙ，６９Ｍ,６９Ｃ，６９Ｋ，６９Ｘ１，６９Ｘ２（収容ケース６９Ｋのみ図示）内に空気取入口８０から流入する。
【００８７】
収容ケース６９Ｙ〜６９Ｘ２内に流入した外部空気は、リードスクリュー７４で第１の帯電ワイヤ７１Ａ側の方が第２の帯電ワイヤ７１Ｂ側よりも大きな風速となるように分岐されて第１及び第２の分岐路７８，７９の軸線方向に沿って速度むらの少ない状態で流入した後、第１及び第２の分岐路７８，７９を流動して第１及び第２の帯電ワイヤ７１Ａ，７１Ｂにそれぞれ送風される。第１の帯電ワイヤ７１Ａに送風された外部空気は、感光体の回転による層流と、オゾン廃棄ダクト９６の吸引により、感光体ドラム２０Ｋの回転方向に向かって強い流れとなり、強い流れの周辺の空気は強い流れに引き寄せられて同化して流れる性質があることから、第１の帯電ワイヤ７１Ａにおける強い流れによって、第２の帯電ワイヤ７１Ｂにおける弱い流れは第１の帯電ワイヤ７１Ａと比べた不足分を補うように引き寄せられながら流れ、淀みや渦を発生することなく送風される。帯電ワイヤ７１Ａ，７１Ｂへの送風により、帯電ワイヤ７１Ａ，７１Ｂの周辺に滞留するオゾンやトナークラウド等の不要物が外部空気とともにクラウド導入用ダクト９５及びオゾン導入（廃棄）用ダクト９６、防塵フィルターやオゾンフィルターを介して外部に排出される。
【００８８】
曲路８３においては、路面８３０ｃの内側の空気流Ｆｉｎは、風速が比較的小さいときは図６中実線で示すように路面８３０ｃに沿うが、風速が大きくなると、図６中破線で示すように空気流Ｆ’ｉｎが路面８３０ｃから離れようとする。一方、曲路８３において風速が大きくなっても、第１及び第２の帯電ワイヤ７１Ａ，７１Ｂの中心とリードスクリュー７４の中心とを結んだ線と流路８３ｃの内側の壁面とのなす角度αにより、曲路８３の外側の壁面である路面８３１ｃに沿う空気流Ｆｏｕｔは、内側の路面８３０ｃに向かう成分Δｆを有するため、これが内側の空気流Ｆ’ｉｎに作用し、第１の分岐路７８を通る風速を第２の分岐路７９を通る風速よりも大きくすることができ、曲路８３において風速が変化しても第１及び第２の分岐路７８，７９間において風量のばらつきが抑制される。
【００８９】
［第２の実施の形態］
図１０は、本発明の第２の実施の形態に係るワイヤ清掃装置を示す断面図である。第１の実施の形態の送風ダクト７０Ｙ〜７０Ｘ２は、ワイヤ清掃機構６８Ｙ〜６８Ｘ２の第２の分岐路７９よりも第１の分岐路７８側を外部空気の空気流入側としたが、第２の実施の形態の送風ダクト７０Ｙ〜７０Ｘ２（送風ダクト７０Ｋのみ図示）は、第１の分岐路７８よりも第２の分岐路７９側を外部空気の空気流入側としたものである。また、第１の実施の形態の送風ダクト７０Ｙ〜７０Ｘ２は、送風口８２を第１の分岐路７８側に偏心して配置したが、第２の実施の形態の送風ダクト７０Ｙ〜７０Ｘ２（送風ダクト７０Ｋのみ図示）は、送風口８２を偏心させずに収容ケース６９Ｙ〜６９Ｘ２（収容ケース６９Ｋのみ図示）の空気取入口８０に対応した大きさにしたものである。
【００９０】
第２の実施の形態によれば、送風ダクトの送風口８３が第１の分岐路７８に偏心していなくても、送風ダクト内に流入した外部空気が曲路８３を流動する際、外側（曲率半径が大きい側）の風速が内側よりも大きくなるため、第１の実施の形態と同様に、第１の分岐路７８の流速が第２の分岐路７９よりも大きくなる。なお、第２の実施の形態の送風ダクトにおいて、送風口８２を第１の分岐路７８側に偏心させてもよい。
【００９１】
曲路８３に送り込まれる風速が大きくなり、内側の路面８３０ｃから空気流が離れたとしても、排気側の第２の分岐路７９の空気の量＜排気側と反対側の第１の分岐路７８の空気の量とすることができ、流れ込む空気の量が少なくなりがちな、排気側と反対側の第１の分岐路７８の空気の量が減ることを低減することができる。
【実施例１】
【００９２】
図１１〜図１３を用いて本発明の実施例を説明する。
【００９３】
（比較例のオゾン除去性能）
図１１は、比較例のオゾン除去性能を説明するための図であり、（ａ）は、比較例の送風ダクトの概略の構成を示す断面図、（ｂ）は、帯電ワイヤ近傍のオゾン濃度の測定結果を示す図、（ｃ）は、図５に示す送風機６０Ｋの風量の増加による帯電ワイヤ近傍の風速の測定結果を示す図である。図１１（ｂ）、（ｃ）において、ＩＮ１、ＩＮ２、ＣＥＮ、ＯＵＴ２、ＯＵＴ１は、帯電ワイヤ７１Ａ，７１Ｂ近傍の長手方向の測定位置を示し、図６、図９においてＩＮ１は最も奥側の位置、ＯＵＴ１は最も手前側の位置、ＣＥＮはＩＮ１とＯＵＴ１の中間の位置、ＩＮ２はＩＮ１とＣＥＮの中間の位置、ＯＵＴ２はＣＥＮとＯＵＴ１の中間の位置を示す。
【００９４】
図１２は、帯電ワイヤ近傍の風速とオゾン濃度の関係を示す図である。同図から、帯電ワイヤ近傍の風速が大きくなるに従い、帯電ワイヤ近傍に滞留するオゾン濃度が少なくなることが分かる。目標値を仮に４．９ｐｐｍとする。
【００９５】
比較例の送風ダクト７０Ｋは、図１１（ａ）に示すように、送風口８２を第１の分岐路側に偏心させずに、収容ケース６９Ｋの空気取入口８０に対応した大きさとしたものである。
【００９６】
比較例の送風ダクト７０Ｋは、図１１（ｂ）に示すように、奥側のＩＮ１において第１及び第２の帯電ワイヤ間の中央におけるオゾン濃度が目標値（４．９ｐｐｍ）を大きく超えている。図１１（ｃ）から、図５に示す送風機６０Ｋのディーティを大きくしても、ＩＮ１における風速があまり大きくならず、オゾン濃度を目標値以下にすることができないことが分かる。
【００９７】
（実施例１のオゾン除去性能）
図１３は、第１の実施の形態に対応する実施例１のオゾン除去性能を説明するための図であり、（ａ）は、帯電ワイヤ近傍のオゾン濃度の測定結果を示す図、（ｂ）は、図５に示す送風機６０Ｋの風量の増加による帯電ワイヤ近傍の風速の測定結果を示す図である。図１３（ａ）、（ｂ）において、ＩＮ１、ＩＮ２、ＣＥＮ、ＯＵＴ２、ＯＵＴ１は、帯電ワイヤ７１Ａ，７１Ｂ近傍の長手方向の測定位置を示し、図６、図９においてＩＮ１は最も奥側の位置、ＯＵＴ１は最も手前側の位置、ＣＥＮはＩＮ１とＯＵＴ１の中間の位置、ＩＮ２はＩＮ１とＣＥＮの中間の位置、ＯＵＴ２はＣＥＮとＯＵＴ１の中間の位置を示す。
【００９８】
実施例１の送風ダクト７０Ｋは、図１３（ａ）に示すように、帯電ワイヤの長手方向のいずれの場所でもオゾン濃度が目標値（４．９ｐｐｍ）以下となった。図１２（ｂ）から、図５に示す送風機６０Ｋのディーティを大きくすることにより、帯電ワイヤの長手方向のいずれの場所でも帯電ワイヤ近傍の風速を大きくすることができることが分かる。従って、図１２に示したように、送風機６０Ｋのデューティを大きくすることにより、オゾン濃度をさらに小さくすることができる。
【００９９】
以上、本発明の画像形成装置を上記の実施の形態に基づいて説明したが、本発明は上記の実施の形態に限定されるものではなく、その要旨を逸脱しない範囲で種々の態様において実施することが可能であり、例えば次に示すような変形も可能である。
【０１００】
（１）上記の実施の形態では、各像形成部に対して１対の帯電ワイヤ７１Ａ，７１Ｂを用いる場合について説明したが、本発明はこれに限定されず、そのワイヤ数は３個以上でもよい。
【０１０１】
（２）上記の実施の形態では、プリンタに適用する場合について説明したが、本発明はこれに限定されず、複写機又はファクシミリに適用しても勿論よく、複写機，プリンタ及びファクシミリ等のうち少なくも２つを組み合わせてなる複合機に適用してもよい。
【０１０２】
（３）上記の実施の形態では、画像形成装置１が複数の感光体ドラム２０Ｙ，２０Ｍ，２０Ｃ，２０Ｋ，２０Ｘ１，２０Ｘ２を用いたカラー画像形成装置である場合について説明したが、本発明はこれに限定されず、単一の感光ドラムを用いたモノクロ画像形成装置であってもよい。
【０１０３】
（４）第１の分岐路に送風される空気量を第２の分岐路に送風される空気量よりも多くした流路構造は、上記第１及び第２の実施の形態に限られず、収容ケースの形状、リードスクリューの配置等のように、ワイヤ清掃装置を構成する部品の形状や位置を変更したり、部品を追加することにより、実現してもよい。
【符号の説明】
【０１０４】
１…画像形成装置、
２…本体ユニット、２Ａ…画像形成部、２Ｂ…用紙供給部、２Ｃ…第１筐体、２０Ｙ，２０Ｍ，２０Ｃ，２０Ｋ，２０Ｘ１，２０Ｘ２…感光体ドラム、２１Ｙ，２１Ｍ，２１Ｃ，２１Ｋ，２１Ｘ１，２１Ｘ２…帯電器、２２Ｙ，２２Ｍ，２２Ｃ，２２Ｋ，２２Ｘ１，２２Ｘ２…露光器、２３Ｙ，２３Ｍ，２３Ｃ，２３Ｋ，２３Ｘ１，２３Ｘ２…現像器、２４…中間転写ベルト、２５Ｙ，２５Ｍ，２５Ｃ，２５Ｋ，２５Ｘ１，２５Ｘ２…一次転写ベルト、２６…駆動ロール、２７Ａ〜２７Ｄ…支持ロール、２８…二次転写装置、２９Ｙ，２９Ｍ，２９Ｃ，２９Ｋ，２９Ｘ１，２９Ｘ２…トナーボトル、３０Ｙ，３０Ｍ，３０Ｃ，３０Ｋ，３０Ｘ１，３０Ｘ２…除電装置、３１Ｙ，３１Ｍ，３１Ｃ，３１Ｋ，３１Ｘ１，３１Ｘ２…ドラム清掃装置、３２〜３４…搬送ユニット、３５…用紙スタッカ、３６…捌きロール、３７…レジロール、３８…搬送ロール、
３…給紙ユニット、３Ａ…用紙供給部、３Ｂ…第２筐体、３０Ｂ…搬送経路、３９…給紙トレイ、４０…捌きロール、４１…レジロール、
４…定着ユニット、４Ａ…定着部、４２…加熱ロール、４３…加圧ロール、４Ｂ…冷却部、４４，４５…搬送ユニット、４６…冷却器、４７…排出ロール、４Ｃ…第３筐体、４０Ｃ…搬送経路、２００Ｃ…収容空間、５２…吸込口、５３…吐出口、５０Ｙ，５０Ｍ，５０Ｃ，５０Ｋ，５０Ｘ１，５０Ｘ２…吐出口、
５…フィルタ収容箱、４８ａ，４９Ｙ，４９Ｍ，４９Ｃ，４９Ｋ…吸込口、４８ｂ…吐出口、
６…フィルタ収容箱、５０ａ，５１Ｘ１，５１Ｘ２…吸込口、５０ｂ…吐出口、
５４Ｙ，５４Ｍ，５４Ｃ，５４Ｋ，５４Ｘ１，５４Ｘ２…塵埃除去装置、５６Ｙ，５６Ｍ，５６Ｃ，５６Ｋ，５６Ｘ１，５６Ｘ２…吸気用ダクト、５７Ｙ，５７Ｍ，５７Ｃ，５７Ｋ，５７Ｘ１，５７Ｘ２…吸気用ダクト、５８Ｙ，５８Ｍ，５８Ｃ，５８Ｋ，５８Ｘ１，５８Ｘ２…収容ケース、５９Ｙ，５９Ｍ，５９Ｃ，５９Ｋ，５９Ｘ１，５９Ｘ２…フィルタ、６０Ｙ，６０Ｍ，６０Ｃ，６０Ｋ，６０Ｘ１，６０Ｘ２…送風機、６１…第１開口部、６２…第２開口部、６３…羽根車、６４Ｙ，６４Ｍ，６４Ｃ，６４Ｋ，６４Ｘ１，６４Ｘ２…ケーシング、６５…空気取入口、６６…空気取出口、６７…内面、
５５Ｙ，５５Ｍ，５５Ｃ，５５Ｋ，５５Ｘ１，５５Ｘ２…ワイヤ清掃装置、６８Ｙ，６８Ｍ，６８Ｃ，６８Ｋ，６８Ｘ１，６８Ｘ２…ワイヤ清掃機構、６９Ｙ，６９Ｍ，６９Ｃ，６９Ｋ，６９Ｘ１，６９Ｘ２…収容ケース、７０Ｙ，７０Ｍ，７０Ｃ，７０Ｋ，７０Ｘ１，７０Ｘ２…送風ダクト、７０ａ…空気取入口、７１Ａ…第１の帯電ワイヤ、７１Ｂ…第２の帯電ワイヤ、７２，７３…ワイヤ清掃部材、７４…リードスクリュー、７５…移動部材、７６…揺動部材、７７…支持部材、７８…第１の分岐路、７９…第２の分岐路、８０…空気取入口、８１…空気取出口、８２…送風口、８２ａ…開口面、８２ｂ…外側開口端面、８３…曲路、８３ａ〜８３ｃ…流路、８３０ｃ，８３１ｃ…路面、８４…直路、８５…補強部、８６〜８８，８６Ａ，８６Ｂ，８７Ａ〜８７Ｅ，８８Ａ〜８８Ｅ…誘導部材、９０Ｙ，９０Ｍ，９０Ｃ，９０Ｋ，９０Ｘ１，９０Ｘ２…廃棄用ダクト、９１〜９４…開口部、９５…クラウド導入用ダクト、９６…オゾン導入用ダクト、
Ｃ…キャスタ、ＦＬ…床面、Ｐ…用紙
【図１】
0005482144.tif 000002
【図２】
0005482144.tif 000003
【図３】
0005482144.tif 000004
【図４】
0005482144.tif 000005
【図５】
0005482144.tif 000006
【図６】
0005482144.tif 000007
【図７】
0005482144.tif 000008
【図８】
0005482144.tif 000009
【図９】
0005482144.tif 000010
【図１０】
0005482144.tif 000011
【図１１】
0005482144.tif 000012
【図１２】
0005482144.tif 000013
【図１３】
0005482144.tif 000014